(57)【要約】【課題】第１および第２タイプの信号駆動部に対応し易く、第１および第２タイプの走査駆動部に対応し易く、コストが安い、液晶表示装置を提供する。【解決手段】各信号線および各走査線を有する液晶パネル２と、各信号線を駆動し、シフト方向の切替端子を有する信号駆動部５と、信号駆動部５に対し表示データを出力する制御部３とを備え、表示データの所定の右または左のシフト方向を選択する第１選択信号Ｈ１と、右シフト方向に対応する第１出力値および左シフト方向に対応する第２出力値の組み合わせを切り替えるか否かを選択する第２選択信号Ｈ２が入力され、第２選択信号Ｈ２が、前記組み合わせを切り替えない事を選択された場合、制御部３は、切替端子に対し、前記組み合わせに従う、所定の前記シフト方向を指示する選択信号を出力する。【選択図】図１
2007264368.tif 000002
【特許請求の範囲】
【請求項１】
各信号線および各走査線を有する液晶パネルと、各信号線を駆動し、シフト方向の切替端
子を有する信号駆動部と、前記信号駆動部に対し表示データを出力する制御部とを備え、
前記表示データの所定の右または左のシフト方向を選択する第１選択信号と、右シフト方
向に対応する第１出力値および左シフト方向に対応する第２出力値の組み合わせを切り替
えるか否かを選択する第２選択信号が入力され、前記第２選択信号が、前記組み合わせを
切り替えない事を選択された場合、前記制御部は、前記切替端子に対し、前記組み合わせ
に従う、所定の前記シフト方向を指示する選択信号を出力する事を特徴とする液晶表示装
置。
【請求項２】
前記第２選択信号が、前記組み合わせを切り替える事を選択された場合、前記制御部は、
右シフト方向に対応する前記第２出力値および左シフト方向に対応する前記第１出力値の
組み合わせに従う、前記選択信号を出力する事を特徴とする請求項１の液晶表示装置。
【請求項３】
所定の前記シフト方向を指示する前記選択信号が出力されている間、前記制御部は前記信
号駆動部に対し、所定の前記シフト方向に対応する水平スタートパルスを出力する事を特
徴とする請求項１の液晶表示装置。
【請求項４】
各信号線および各走査線を有する液晶パネルと、各走査線を駆動し、走査方向の切替用端
子を有する走査駆動部と、前記走査駆動部に対し走査電圧を出力する電源部と、制御部と
を備え、所定の前記走査方向を選択する第３選択信号と、下向き走査方向に対応する第３
出力値および上向き走査方向に対応する第４出力値の組み合わせを切り替えるか否かを選
択する第４選択信号が入力され、前記第４選択信号が、前記組み合わせを切り替えない事
を選択された場合、前記制御部は、前記切替用端子に対し、前記組み合わせに従う、所定
の前記走査方向を指示する指示信号を出力する事を特徴とする液晶表示装置。
【請求項５】
前記第４選択信号が、前記組み合わせを切り替える事を選択された場合、前記制御部は、
下向き走査方向に対応する前記第４出力値および上向き走査方向に対応する前記第３出力
値の組み合わせに従う、前記指示信号を出力することを特徴とする請求項４の液晶表示装
置。
【請求項６】
所定の前記走査方向を指示する前記指示信号が出力されている間、前記制御部は前記走査
駆動部に対し、所定の前記走査方向に対応する垂直スタートパルスを出力する事を特徴と
する請求項４の液晶表示装置。
【請求項７】
前記第１選択信号の変更または前記第３選択信号の変更は、フレームに同期して行われる
様に構成されている事を特徴とする請求項１または請求項４の液晶表示装置。
【発明の詳細な説明】
【技術分野】
【０００１】
本発明は液晶表示装置に関する。
【背景技術】
【０００２】
従来、この種の装置は例えば、特許文献１に示されている。特許文献１の図７によると
各信号線ＳＬ及び各走査線ＧＬを有する液晶パネル３１と、各信号線ＳＬを駆動し、シフ
ト方向の切替端子を有する信号駆動部３４が設けられている。表示データの所定のシフト
方向を選択する第１選択信号が切替端子に入力され、表示データは、所定の方向にシフト
されている。
【０００３】
また、各走査線ＧＬを駆動し、走査方向の切替用端子を有する走査駆動部３５が設けら
れている。走査方向を選択する第２選択信号が切替用端子に入力され、所定の方向に走査
されている。
【特許文献１】特開２００４−４６２４号公報
【発明の開示】
【発明が解決しようとする課題】
【０００４】
この信号駆動部３４用の選択信号において、右シフト方向を選択するロウレベル信号と
左シフト方向を選択するハイレベル信号という、論理が定められている。これを、第１タ
イプの信号駆動部と呼ぶ。
【０００５】
また、別のメーカが製造した信号駆動部において、右シフト方向を選択するハイレベル
信号と、左シフト方向を選択するロウレベル信号という、論理が定められている。これを
、第２タイプの信号駆動部と呼ぶ。
【０００６】
液晶表示装置の製造者は、これらの第１タイプまたは第２タイプの信号駆動部に応じて
制御部（タイミングコントローラ）の出力側に、第１切替装置を別に設けていたので、コ
ストが高くなり、製造時間が長くなる、第１の欠点がある。
【０００７】
同様に、この走査駆動部３５用の選択信号において、下向き走査方向を選択するロウレ
ベル信号と、上向き走査方向を選択するハイレベル信号という、論理が定められている。
これを、第１タイプの走査駆動部と呼ぶ。
【０００８】
また、別のメーカが製造した走査駆動部において、下向き走査方向を選択するハイレベ
ル信号と、上向き走査方向を選択するロウレベル信号という、論理が定められている。こ
れを、第２タイプの走査駆動部と呼ぶ。
【０００９】
液晶表示装置の製造者は、これらの第１タイプまたは第２タイプの走査駆動部に応じて
制御部（タイミングコントローラ）の出力側に、第２切替装置を別に設けていたので、コ
ストが高くなり、製造時間が長くなる、第２の欠点がある。
【００１０】
そこで、本発明は、この様な従来の欠点を考慮して、第１および第２タイプの信号駆動
部に対応し易く、第１および第２タイプの走査駆動部に対応し易く、コストが安い、液晶
表示装置を提供する。
【課題を解決するための手段】
【００１１】
上記課題を解決するために、請求項１の本発明では、各信号線および各走査線を有する
液晶パネルと、各信号線を駆動し、シフト方向の切替端子を有する信号駆動部と、前記信
号駆動部に対し表示データを出力する制御部とを備え、前記表示データの所定の右または
左のシフト方向を選択する第１選択信号と、右シフト方向に対応する第１出力値および左
シフト方向に対応する第２出力値の組み合わせを切り替えるか否かを選択する第２選択信
号が入力され、前記第２選択信号が、前記組み合わせを切り替えない事を選択された場合
、前記制御部は、前記切替端子に対し、前記組み合わせに従う、所定の前記シフト方向を
指示する選択信号を出力する。
【００１２】
請求項２の本発明では、前記第２選択信号が、前記組み合わせを切り替える事を選択さ
れた場合、前記制御部は、右シフト方向に対応する前記第２出力値および左シフト方向に
対応する前記第１出力値の組み合わせに従う、前記選択信号を出力する。
【００１３】
請求項３の本発明では、所定の前記シフト方向を指示する前記選択信号が出力されてい
る間、前記制御部は前記信号駆動部に対し、所定の前記シフト方向に対応する水平スター
トパルスを出力する。
【００１４】
請求項４の本発明では、各信号線および各走査線を有する液晶パネルと、各走査線を駆
動し、走査方向の切替用端子を有する走査駆動部と、前記走査駆動部に対し走査電圧を出
力する電源部と、制御部とを備え、所定の前記走査方向を選択する第３選択信号と、下向
き走査方向に対応する第３出力値および上向き走査方向に対応する第４出力値の組み合わ
せを切り替えるか否かを選択する第４選択信号が入力され、前記第４選択信号が、前記組
み合わせを切り替えない事を選択された場合、前記制御部は、前記切替用端子に対し、前
記組み合わせに従う、所定の前記走査方向を指示する指示信号を出力する。
【００１５】
請求項５の本発明では、前記第４選択信号が、前記組み合わせを切り替える事を選択さ
れた場合、前記制御部は、下向き走査方向に対応する前記第４出力値および上向き走査方
向に対応する前記第３出力値の組み合わせに従う、前記指示信号を出力する。
【００１６】
請求項６の本発明では、所定の前記走査方向を指示する前記指示信号が出力されている
間、前記制御部は前記走査駆動部に対し、所定の前記走査方向に対応する垂直スタートパ
ルスを出力する。
【００１７】
請求項７の本発明では、前記第１選択信号の変更または前記第３選択信号の変更は、フ
レームに同期して行われる様に構成されている。
【発明の効果】
【００１８】
請求項１の様に、表示データの所定の右または左のシフト方向を選択する第１選択信号
と、右シフト方向に対応する第１出力値および左シフト方向に対応する第２出力値の組み
合わせを切り替えるか否かを選択する第２選択信号が入力され、第２選択信号が、前記組
み合わせを切り替えない事を選択された場合、制御部は、切替端子に対し、前記組み合わ
せに従う、所定の前記シフト方向を指示する選択信号を出力する。この構成により、第１
タイプの信号駆動部を使用した場合、第２選択信号の選択により、第１タイプに適用する
事ができる。
【００１９】
請求項２の様に、第２選択信号が、組み合わせを切り替える事を選択された場合、制御
部は、右シフト方向に対応する第２出力値および左シフト方向に対応する第１出力値の組
み合わせに従う、選択信号を出力する。この構成により、第２タイプの信号駆動部を使用
しても、制御部に外付けの切替回路を用いる事なく、所定のシフト方向が得られるので、
従来に比べ、コストが安くなる。
【００２０】
請求項３の様に、所定のシフト方向を指示する選択信号が出力されている間、制御部記
信号駆動部に対し、所定のシフト方向に対応する水平スタートパルスを出力する。その結
果、信号駆動部において、所定のシフト方向に、正確な表示データを格納できる。
【００２１】
請求項４の様に、所定の走査方向を選択する第３選択信号と、下向き走査方向に対応す
る第３出力値および上向き走査方向に対応する第４出力値の組み合わせを切り替えるか否
かを選択する第４選択信号が入力され、第４選択信号が、前記組み合わせを切り替えない
事を選択された場合、制御部は、切替用端子に対し、前記組み合わせに従う、所定の前記
走査方向を指示する指示信号を出力する。この構成により、第１タイプの走査駆動部を使
用した場合、第２選択信号の選択により、第１タイプに適用する事ができる。
【００２２】
請求項５の様に、第４選択信号が、組み合わせを切り替える事を選択された場合、制御
部は、下向き走査方向に対応する第４出力値および上向き走査方向に対応する第３出力値
の組み合わせに従う、指示信号を出力する。この構成により、第２タイプの走査駆動部を
使用しても、制御部に外付けの切替回路を用いる事なく、所定の走査方向が得られるので
従来に比べ、コストが安くなる。
【００２３】
請求項６の様に、所定の走査方向を指示する指示信号が出力されている間、制御部は走
査駆動部に対し、所定の走査方向に対応する垂直スタートパルスを出力する。その結果、
走査駆動部において、所定の走査方向に、走査できる。
【００２４】
請求項７の様に、第１選択信号の変更または第３選択信号の変更は、フレームに同期し
て行われる様に構成されている。その結果、フレームが切り替わるタイミングにおいて、
表示データの反転または走査方向の反転ができる。故に、１フレームの途中で、画面が反
転することがないので、違和感がない表示が視認される。
【発明を実施するための最良の形態】
【００２５】
以下に、図面と実施例により、本発明を実施するための最良の形態を詳細に説明する。
【実施例】
【００２６】
以下、図１ないし図３に従い、本実施例に係る液晶表示装置１を説明する。図１は液晶
表示装置１を示すブロック図、図２は液晶表示装置１に用いられる制御部のブロック図、
図３（ａ）は、液晶表示装置１に用いられる信号駆動部に係る論理表、図３（ｂ）は、液
晶表示装置１に用いられる走査駆動部に係る論理表である。
【００２７】
図１において、液晶表示装置１は、液晶パネル２と、制御部３と、電源部４とガンマ補
正部（図示せず）と、複数個の信号駆動部５と、複数個の走査駆動部６と、複数の信号線
（図示せず）と、複数の走査線（図示せず）等からなる。
【００２８】
液晶パネル２は例えば、下ガラス基板上に、複数個設けられた各信号線と、各走査線と
、それらの交点近傍に設けられたＴＦＴと、ＴＦＴに接続された画素電極（共に図示せず
）などを有する。液晶パネル２は、上ガラス基板に設けられた共通電極と、下ガラス基板
および上ガラス基板との間に設けられた液晶（共に図示せず）等を有する。
【００２９】
信号駆動部５は各信号線を駆動するドライバである。走査駆動部６は各走査線を駆動す
るドライバである。
【００３０】
信号駆動部５は、シフト方向の切替端子Ｌ／Ｒを有している。走査駆動部６は、走査方
向の切替用端子Ｕ／Ｄを有している。
【００３１】
図１において、中継部（コネクタ等からなるが、図示せず）の入力側は、外部機器（例
えば、コンピュータ、テレビジョン装置、ビデオ再生装置、ＤＶＤ再生装置、ナビゲーシ
ョン本体等）に設けられた映像信号発生回路（共に図示せず）から送られた、外部信号が
入力される。外部信号は、例えば、データイネーブル信号ＤＥと、ＲＧＢ各６ビットのデ
ジタル画像データＲＤ，ＧＤ，ＢＤと、ドットクロック信号ＤＯＴＣＬＫ、垂直同期信号
ＶＳ、水平同期信号ＨＳ等である。
【００３２】
中継部の入力側は、外部機器に設けられた電源回路（図示せず）から送られた電源電圧
ＶＩＮが入力され、電源部４に対し、電源電圧ＶＩＮを出力している。
【００３３】
中継部は、制御部３に対し、第１選択信号Ｈ１と、第３選択信号Ｓ１と、外部信号を出
力する。制御部３は、信号駆動部５に対し、タイミング信号Ｓ２（図示せず）を出力する
。制御部３は、走査駆動部６に対し、タイミング信号Ｓ３（図示せず）を出力する。
【００３４】
電源部４は、電源電圧ＶＩＮが入力されると、制御部３に対し、所定電圧Ｖ１（例えば
直流３．３ボルト）を出力するものである。
【００３５】
更に、制御部３は、第２選択信号Ｈ２と、第４選択信号Ｓ２が入力される。第２選択信
号Ｈ２は、表示データＤの右シフト方向に対応する第１出力値（例えば、ロウレベル値）
と、左シフト方向に対応する第２出力値（例えば、ハイレベル値）の組み合わせを切り替
えるか否かを選択するものである。
【００３６】
なお、表示データＤの右シフト方向とは、信号駆動部５において、１番左のレジスタか
ら、順番に、右のレジスタに、表示データＤを並べる（格納する）事を、示す（図１の1)
を参照）。
【００３７】
また、表示データＤの左シフト方向とは、信号駆動部５において、１番右のレジスタか
ら、順番に、左のレジスタに、表示データＤを並べる（格納する）事を、示す（図１の2)
を参照）。
【００３８】
例えば、上記組み合わせの切替を否とする場合、第２選択信号Ｈ２は、ロウレベル値を
出力する。上記組み合わせの切替をする場合、第２選択信号Ｈ２は、ハイレベル値を出力
する。
【００３９】
第４選択信号Ｓ２は、下向き走査方向（図１の3)を参照）に対応する第３出力値（例え
ば、ロウレベル値）と、上向き走査方向（図１の4)を参照）に対応する第４出力値（例え
ば、ハイレベル値）の組み合わせを切り替えるか否かを選択するものである。
【００４０】
例えば、上記組み合わせの切替を否とする場合、第４選択信号Ｓ２は、ロウレベル値を
出力する。上記組み合わせの切替をする場合、第４選択信号Ｓ２は、ハイレベル値を出力
する。これらの第２選択信号Ｈ２および第４選択信号Ｓ２は、例えば、外部信号ではなく
液晶表示装置１の製造者により、生成される。
【００４１】
なお、第１選択信号Ｈ１は、表示データＤの所定のシフト方向を選択する信号である。
第３選択信号Ｓ１は、所定の走査方向を選択する信号である。
【００４２】
制御部３は、第１選択信号Ｈ１と、第２選択信号Ｈ２と、第３選択信号Ｓ１と、第４選
択信号Ｓ２と、外部信号をデジタル的に信号処理する。それにより、制御部３は、デジタ
ルＲＧＢ表示データＤ（Ｒ，Ｇ，Ｂ）と、タイミング信号Ｓ２、即ち、水平クロック信号
ＣＬＫ、ストローブ信号ＳＴＲＢ、極性反転信号ＰＯＬ、および水平スタートパルス信号
（ＥＦまたはＥＢ）を、それぞれ信号駆動部５へ供給する。
【００４３】
制御部３は、走査駆動部６に対し、タイミング信号Ｓ３、即ち、垂直スタートパルス（
ＦＦまたはＦＢ）、垂直クロック信号ＣＰＶ、ゲートイネーブル信号ＯＥを供給する。
【００４４】
次に、図２に従い、制御部３を説明する。図２において、制御部３は、データイネーブ
ル信号ＤＥの入力端子と、ＲＧＢ各６ビットのデジタル画像データＲＤ，ＧＤ，ＢＤの入
力端子と、ドットクロック信号ＤＯＴＣＬＫの入力端子と、水平同期信号ＨＳの入力端子
（共に図示せず）を有している。
【００４５】
更に、制御部３は、第１選択信号Ｈ１の入力端子と、第２選択信号Ｈ２の入力端子と、
第３選択信号Ｓ１の入力端子と、第４選択信号Ｓ４の入力端子と、垂直同期信号ＶＳの入
力端子を有している。
【００４６】
制御部３は、デジタルＲＧＢ表示データＤ（Ｒ，Ｇ，Ｂ）の出力端子と、水平クロック
信号ＣＬＫの出力端子と、ストローブ信号ＳＴＲＢの出力端子と、極性反転信号ＰＯＬの
出力端子（共に図示せず）を有している。
【００４７】
制御部３は、選択信号Ｈ３の出力端子と、右シフト方向への水平スタートパルスＥＦの
出力端子と、左シフト方向への水平スタートパルスＥＢの出力端子と、指示信号Ｓ３の出
力端子と、下向き走査方向への垂直スタートパルスＦＦの出力端子と、上向き走査方向へ
の垂直スタートパルスＦＢの出力端子とを有している。
【００４８】
図２において、フリップフロップ７の入力端子には、第１選択信号Ｈ１が入力され、ク
ロック端子には垂直同期信号ＶＳが入力される。フリップフロップ７の出力端子は、選択
器８のＬ端子に接続されている。
【００４９】
フリップフロップ７の出力端子は、ノット回路を介して、選択器８のＨ端子に接続され
ている。選択器８の出力端子から、選択信号Ｈ３が出力される。第２選択信号Ｈ２は、選
択器８の制御端子に接続されている。
【００５０】
選択器９のＬ端子には、水平スタートパルスＥＩＳが入力される。選択器９のＨ端子に
は、ハイインピーダンス信号Ｈｉ−Ｚが入力される。
【００５１】
選択器９の出力端子から、右シフト方向への水平スタートパルスＥＦが出力される。選
択器９の制御端子には、フリップフロップ７の出力信号が入力される。
【００５２】
選択器１０のＨ端子には、水平スタートパルスＥＩＳが入力される。選択器９のＬ端子
には、ハイインピーダンス信号Ｈｉ−Ｚが入力される。
【００５３】
選択器９の出力端子から、左シフト方向への水平スタートパルスＥＢが出力される。選
択器１０の制御端子には、フリップフロップ７の出力信号が入力される。
【００５４】
フリップフロップ１１の入力端子には、第３選択信号Ｓ１が入力され、クロック端子に
は垂直同期信号ＶＳが入力される。フリップフロップ１１の出力端子は、選択器１２のＬ
端子に接続されている。
【００５５】
フリップフロップ１１の出力端子は、ノット回路を介して、選択器１２のＨ端子に接続
されている。選択器１２の出力端子から、指示信号Ｈ３が出力される。第４選択信号Ｓ２
は、選択器１２の制御端子に接続されている。
【００５６】
選択器１３のＬ端子には、垂直スタートパルスＦＬＭが入力される。選択器１３のＨ端
子には、ハイインピーダンス信号Ｈｉ−Ｚが入力される。選択器１３の制御端子には、フ
リップフロップ１１の出力信号が入力される。選択器１３は、下向き走査方向への垂直ス
タートパルスＦＦを出力する。
【００５７】
選択器１４のＨ端子には、垂直スタートパルスＦＬＭが入力される。選択器１４のＬ端
子には、ハイインピーダンス信号Ｈｉ−Ｚが入力される。選択器１４の制御端子には、フ
リップフロップ１１の出力信号が入力される。選択器１４は、上向き走査方向への垂直ス
タートパルスＦＢを出力する。以上の部品により、制御部３は構成されている。
【００５８】
次に、図３（ａ）に従い、信号駆動部５の論理を説明する。状態1)において、第１選択
信号Ｈ１はローレベル値である。この時、信号駆動部５は第１タイプのものであり、第２
選択信号Ｈ２はシフト方向に対応する出力値の組み合わせの切替は無いと、選択される。
その結果、第２選択信号Ｈ２は、ローレベル値である。そして、選択信号Ｈ３はロウレベ
ル値である。この時に、右シフト方向への水平スタートパルスＥＦが出力される（ＯＮ状
態）。左シフト方向への水平スタートパルスＥＢは、出力されない（ハイインピーダンス
状態）である。
【００５９】
状態2)において、第１選択信号Ｈ１はローレベル値である。この時、信号駆動部５は第
２タイプのものであり、第２選択信号Ｈ２は、シフト方向に対応する出力値の組み合わせ
の切替を行う事が、選択される。その結果、第２選択信号Ｈ２は、ハイレベル値である。
そして、選択信号Ｈ３はハイレベル値である。この時に、右シフト方向への水平スタート
パルスＥＦが出力される（ＯＮ状態）。左シフト方向への水平スタートパルスＥＢは、出
力されない（ハイインピーダンス状態）である。
【００６０】
状態3)において、第１選択信号Ｈ１はハイレベル値である。この時、信号駆動部５は第
１タイプのものであり、第２選択信号Ｈ２はシフト方向に対応する出力値の組み合わせの
切替は無いと、選択される。その結果、第２選択信号Ｈ２は、ローレベル値である。そし
て、選択信号Ｈ３はハイレベル値である。この時に、左シフト方向への水平スタートパル
スＥＢが出力される（ＯＮ状態）。右シフト方向への水平スタートパルスＥＦは、出力さ
れない（ハイインピーダンス状態）である。
【００６１】
状態4)において、第１選択信号Ｈ１はハイレベル値である。この時、信号駆動部５は第
２タイプのものであり、第２選択信号Ｈ２は、シフト方向に対応する出力値の組み合わせ
の切替を行う事が、選択される。その結果、第２選択信号Ｈ２は、ハイレベル値である。
そして、選択信号Ｈ３はロウレベル値である。この時に、左シフト方向への水平スタート
パルスＥＢが出力される（ＯＮ状態）。右シフト方向への水平スタートパルスＥＦは、出
力されない（ハイインピーダンス状態）である。
【００６２】
この様に、制御部３は切替端子Ｌ／Ｒに対し、所定のシフト方向を指示する選択信号Ｓ
３を出力する。
【００６３】
更に、第２選択信号Ｈ２が、前記組み合わせを切り替える事を選択された場合（状態2)
と4)を参照）、制御部３は、右シフト方向に対応する第２出力値および左シフト方向に対
応する第１出力値の組み合わせに従う、選択信号Ｈ３を出力する。
【００６４】
そして、所定のシフト方向を指示する選択信号Ｈ３が出力されている間、制御部３は信
号駆動部５に対し、所定のシフト方向に対応する水平スタートパルス（ＥＦまたはＥＢ）
を出力する。
【００６５】
次に、図３（ｂ）に従い、走査駆動部６の論理を説明する。状態5)において、第３選択
信号Ｓ１はローレベル値である。この時、走査駆動部６は第１タイプのものであり、第４
選択信号Ｓ２はシフト方向に対応する出力値の組み合わせの切替は無いと、選択される。
その結果、第２選択信号Ｈ２は、ローレベル値である。そして、指示信号Ｓ３はロウレベ
ル値である。この時に、下向き走査方向への垂直スタートパルスＦＦが出力される（ＯＮ
状態）。上向き走査方向への垂直スタートパルスＦＢは、出力されない（ハイインピーダ
ンス状態）。
【００６６】
状態6)において、第３選択信号Ｓ１はローレベル値である。この時、走査駆動部６は第
２タイプのものであり、第４選択信号Ｓ２は、シフト方向に対応する出力値の組み合わせ
の切替を行う事が、選択される。その結果、第４選択信号Ｓ２は、ハイレベル値である。
そして、指示信号Ｓ３はハイレベル値である。この時に、下向き走査方向への垂直スター
トパルスＦＦが出力される（ＯＮ状態）。上向き走査方向への垂直スタートパルスＦＢは
、出力されない（ハイインピーダンス状態）。
【００６７】
状態7)において、第３選択信号Ｓ１はハイレベル値である。この時、走査駆動部６は第
１タイプのものであり、第４選択信号Ｓ２はシフト方向に対応する出力値の組み合わせの
切替は無いと、選択される。その結果、第４選択信号Ｓ２は、ローレベル値である。そし
て、指示信号Ｓ３はハイレベル値である。この時に、上向き走査方向への垂直スタートパ
ルスＦＢは、出力される（ＯＮ状態）。下向き走査方向への垂直スタートパルスＦＦが出
力されない（ハイインピーダンス状態）。
【００６８】
状態8)において、第３選択信号Ｓ１はハイレベル値である。この時、走査駆動部６は第
２タイプのものであり、第４選択信号Ｓ２は、シフト方向に対応する出力値の組み合わせ
の切替を行う事が、選択される。その結果、第４選択信号Ｓ２は、ハイレベル値である。
そして、指示信号Ｓ３はロウレベル値である。この時に、上向き走査方向への垂直スター
トパルスＦＢは、出力される（ＯＮ状態）。下向き走査方向への垂直スタートパルスＦＦ
が出力されない（ハイインピーダンス状態）。
【００６９】
この様に、制御部３は切替用端子Ｕ／Ｄに対し、所定の走査方向を指示する指示信号Ｓ
３を出力する。
【００７０】
また、第４選択信号Ｓ２が、前記組み合わせを切り替える事を選択された場合、制御部
３は、下向き走査方向に対応する第４出力値および上向き走査方向に対応する第３出力値
の組み合わせに従う、指示信号Ｓ３を出力する。
【００７１】
そして、所定の走査方向を指示する指示信号Ｓ３が出力されている間、制御部３は、走
査駆動部６に対し、所定の走査方向に対応する垂直スタートパルス（ＦＦまたはＦＢ）を
出力する。
【００７２】
電源電圧ＶＩＮは電源部４に入力されている（図１参照）。電源部４は、供給された電
源電圧ＶＩＮ（例えば３．３ボルト）を基に、液晶表示装置１内で使用される各種の電圧
を生成する。例えば、制御部３のロジック部に対し、所定電圧Ｖ１を出力する。また、電
源部４は、信号駆動部５のロジック部と、走査駆動部６のロジック部に対して、駆動電圧
Ｖ１を生成し、出力する。
【００７３】
また、電源部４は、ガンマ補正部（図示せず）に対して、基準電圧ＶＣＯＭ１およびＶ
ＣＯＭ２と、共通電圧ＶＣＯＭを生成する。
【００７４】
ガンマ補正部は、電源部４から供給された基準電圧ＶＣＯＭ１およびＶＣＯＭ２を抵抗
分圧することにより、階調基準電圧ＶＧＭ１〜ＶＧＭ１０(図示せず)を生成し、信号駆動
部５へ供給する。
【００７５】
更に、電源部４は、信号駆動部５の非ロジック部（例えば出力部）に対して、所定の電
圧ＶＧＥＮを生成する。
【００７６】
上記電圧Ｖ１，ＶＧＥＮ，ＶＧＭ１〜ＶＧＭ１０をまとめて、信号駆動部用電圧Ｖ３と
呼ぶ。
【００７７】
電源部４は、走査駆動部６の非ロジック部（例えば出力部）に対して、走査電圧Ｖ２お
よび低電圧ＶＧＬを生成し、出力する。また、電源部４は、液晶パネル２の共通電極に印
加するための共通電圧ＶＣＯＭを生成する。
【００７８】
なお、タイミング信号として、上述した垂直クロック信号ＣＰＶの他に、ＥＩＳ信号、
ＳＴＲＢ信号、ＯＥ信号、ＦＬＭ信号も、用いることができる。
【００７９】
次に、再び図１ないし図４に従い、液晶表示装置１の動作を説明する。図４は、本液晶
表示装置１に用いられる各信号のタイミングチャートである。最初に、使用者（ユーザ）
は、外部機器（例えば、外部機器ナビゲーション本体）に設けられたスタートボタン（図
示せず）を押したものとする。
【００８０】
スタートボタンが設けられた入力手段（共に図示せず）は、映像信号発生回路に接続さ
れている。その結果、中継部に対して、外部信号が入力されたとする。
【００８１】
また、スタートボタンが設けられた入力手段は、電源回路（図示せず）に接続されてい
る。電源回路は所定の電源を直流３．３ボルトに変換するものである。そこで、中継部を
介して、電源部４に対して、電源電圧ＶＩＮ（直流３．３ボルト）が入力したものとする
。
【００８２】
この時、制御部３には、第１選択信号Ｈ１と、第２選択信号Ｈ２と、第３選択信号Ｓ１
と、第４選択信号Ｓ４（全部、ロウレベル値）が入力されていたものと、する。
【００８３】
次に、時間が経過し、時刻Ｔ１において、図３（ａ）に示した1)の状態と、図３（ｂ）
に示した5)の状態となる。
【００８４】
そして、時間が経過し、時刻Ｔ２において、図３（ａ）に示した2)の状態と、図３（ｂ
）に示した5)の状態となる。
【００８５】
次に、時間が経過し、時刻Ｔ３において、図３（ａ）に示した1)の状態と、図３（ｂ）
に示した5)の状態となる。
【００８６】
そして、時間が経過し、時刻Ｔ４において、図３（ａ）に示した1)の状態と、図３（ｂ
）に示した7)の状態となる。
【００８７】
次に、時間が経過し、時刻Ｔ５において、図３（ａ）に示した1)の状態と、図３（ｂ）
に示した7)の状態となる。
【００８８】
そして、時間が経過し、時刻Ｔ６において、図３（ａ）に示した1)の状態と、図３（ｂ
）に示した8)の状態となる。
【００８９】
次に、時間が経過し、時刻Ｔ７において、図３（ａ）に示した3)の状態と、図３（ｂ）
に示した7)の状態となる。
【００９０】
そして、時間が経過し、時刻Ｔ８において、図３（ａ）に示した3)の状態と、図３（ｂ
）に示した7)の状態となる。
【００９１】
図４に示した様に、第１選択信号Ｈ１の変更または第３選択信号Ｓ１の変更は、フレー
ムに同期して行われる様に構成されている。即ち、垂直同期信号ＶＳの立下り時点までの
第１選択信号Ｈ１の変更または第３選択信号Ｓ１の変更は無視される。
【００９２】
そして、垂直同期信号ＶＳの立下り時点以降の第１選択信号Ｈ１の変更または第３選択
信号Ｓ１の変更は有効とされる。
【００９３】
上記説明と異なり、データイネーブル信号ＤＥの帰線期間判定時点以降の、第１選択信
号Ｈ１の変更または第３選択信号Ｓ１の変更は有効とされても良い。
【図面の簡単な説明】
【００９４】
【図１】本発明の実施例に係る液晶表示装置１のブロック図である。
【図２】上記装置１に用いられる制御部のブロック図である。
【図３】図３（ａ）は、液晶表示装置１に用いられる信号駆動部に係る論理表、図３（ｂ）は、液晶表示装置１に用いられる走査駆動部に係る論理表である。
【図４】本液晶表示装置１に用いられる、各信号のタイミングチャートである。
【符号の説明】
【００９５】
２  液晶パネル
３  制御部
４  電源部
５  信号線駆動部
６  走査線駆動部
【図１】
2007264368.tif 000003
【図２】
2007264368.tif 000004
【図３】
2007264368.tif 000005
【図４】
2007264368.tif 000006